(57)【要約】【課題】  注射針等の線材をせん断するのに好適な線材せん断具を提供すること。【解決手段】  一方に一対のせん断部１１１Ａ、１１１Ｂを有し、他方に一対の把手部１１２Ａ、１１２Ｂを有する一対のせん断具本体１１０Ａ、１１０Ｂを軸部材１２０により回動自在に連結し、重なり合う一対のせん断部１１１Ａ、１１１Ｂに、それぞれ一対の貫通孔１１５Ａ、１１５Ｂを形成し、この一対の貫通孔１１５Ａ、１１５Ｂに挿入された線材を一対のせん断部１１１Ａ、１１１Ｂを回動させることによりせん断することを特徴とする線材せん断具を提供する。【選択図】    図１
2006110086.tif 000002
【特許請求の範囲】
【請求項１】
一点において回動自在に連結され、前記一点の一方側には一対のせん断部が形成され、前記一点の他方側には一対の把手部が形成されている一対のせん断具本体からなり、
前記一対のせん断部は、前記せん断部の開閉面に沿って少なくとも一部が重なり合うようにされており、
前記一対のせん断部の重なり合う部分には、前記せん断部の開閉面に対して垂直な方向から線材を挿入することができる隙間を有する貫通孔が形成されており、
前記把手部の開閉動作に連動させて前記隙間を開閉させることにより、前記隙間に挿入された線材をせん断することができるようにした線材せん断具。
【請求項２】
一点において回動自在に連結され、前記一点の一方側には一対のせん断部が形成され、前記一点の他方側には一対の把手部が形成されている一対のせん断具本体からなり、
前記一対のせん断部には、前記せん断部の開閉面に対して垂直な方向から線材を挿入することができる隙間が形成されており、
前記把手部の開閉動作に連動させて前記隙間を開閉させることにより、前記隙間に挿入された前記線材をせん断することができるようにした線材せん断具であって、
前記せん断具本体の前記せん断部側には、収納容器が設けられており、
前記収納容器の底面には開口部が形成されており、
前記開口部は、前記隙間が開いた状態の際に前記開閉面と垂直な方向から見たときに、前記隙間に位置合わせされて形成されていることを特徴とする線材せん断具。
【請求項３】
前記収納容器は、前記開閉面に対して垂直方向に延びる長さを有していることを特徴とする請求項２に記載の線材せん断具。
【請求項４】
前記一対のせん断部は、前記せん断部の開閉面に沿って少なくとも一部が重なり合うようにされており、
前記一対のせん断部の重なり合う部分には、前記一対のせん断部のそれぞれに形成された一対の貫通孔を備え、
前記隙間は前記一対の貫通孔の内部の空間であることを特徴とする請求項２又は３に記載の線材せん断具。
【請求項５】
前記一対の貫通孔の内少なくとも何れか一方の貫通孔は、一定の内径を有するの平孔部と、前記平孔部の一端から前記せん断部の表面に向かって徐々に内径が大きくなる拡径部と、により形成されていることを特徴とする請求項１又は４に記載の線材せん断具。
【請求項６】
前記せん断部は、前記一対のせん断部のそれぞれに相対向するように形成された一対の刃部を備え、前記隙間は前記一対の刃部の間の空間であることを特徴とする請求項２又は３に記載の線材せん断具。
【請求項７】
前記収納容器は、前記一対のせん断具本体のうちの何れか一方のせん断具本体に対して固定的に取り付けられており、
前記開口部は、前記開閉面と垂直な方向から見たときに、前記一方のせん断具本体の前記刃部と隣接するように位置合わせされて形成されていることを特徴とする請求項６に記載の線材せん断具。
【請求項８】
前記底面には、前記収納容器の内部に向かって延び、かつ、前記底面から離れるに従って徐々に横断面積が小さくなるようなテーパー部が形成されており、
前記開口部は、前記テーパー部の頂点に形成されていることを特徴とする請求項２乃至７の何れか一項に記載の線材せん断具。
【請求項９】
前記底面は、前記収納容器の内部に向かって延び、かつ、その周縁から離れるに従って徐々に横断面積が小さくなるように形成されており、
前記開口部は、前記底面の頂点に形成されていることを特徴とする請求項２乃至７の何れか一項に記載の線材せん断具。
【請求項１０】
前記収納用器の内部には磁石が取り付けられていることを特徴とする請求項２乃至９の何れか一項に記載の線材せん断具。
【請求項１１】
前記収納容器は、外部から内部を見ることができる材質により形成されていることを特徴とする請求項２乃至１０の何れか一項に記載の線材せん断具。
【請求項１２】
前記収納容器には、着脱自在の蓋が設けられていることを特徴とする請求項２乃至１１の何れか一項に記載の線材せん断具。
【請求項１３】
前記蓋の内側面には磁石が取り付けられていることを特徴とする請求項１２に記載の線材せん断具。
【請求項１４】
前記収納容器は前記せん断具本体に対して取り外し自在に取り付けられていることを特徴とする請求項２乃至１３の何れか一項に記載の線材せん断具。
【請求項１５】
前記収納容器は、フランジを用いて前記せん断具本体に対して取り外し自在に取り付けられていることを特徴とする請求項１４に記載の線材せん断具。
【請求項１６】
前記収納容器の外周には、雄ネジが形成されており、
前記フランジには、前記雄ネジを螺合させことができる雌ネジが形成されており、
前記雄ネジを前記雌ネジに螺合させることにより、前記収納容器と前記フランジとは着脱自在にされていることを特徴とする請求項１５に記載の線材せん断具。
【請求項１７】
前記収納容器は、前記フランジと前記せん断具本体とを少なくとも二点以上の点において固定的に取り付けることにより、前記せん断具本体に対して所定の位置に取り付けられることを特徴とする請求項１５又は１６に記載の線材せん断具。
【請求項１８】
前記二点以上の点は、ネジにより固定的に取り付けられていることを特徴とする請求項１７に記載の線材せん断具。
【請求項１９】
前記二点以上の点の内、少なくとも一つの点は、前記フランジ又は前記せん断具本体の何れか一方に形成された嵌合用貫通孔に、前記フランジ又は前記せん断具本体の何れか他方に形成された嵌合用ピンを嵌合させることにより固定的に取り付けられることを特徴とする請求項１７に記載の線材せん断具。
【請求項２０】
前記開口部に嵌め込むことのできる栓を備えることを特徴とする請求項２乃至１９の何れか一項に記載の線材せん断具。
【請求項２１】
一点において回動自在に連結され、前記一点の一方側には一対のせん断部が形成され、前記一点の他方側には一対の把手部が形成されている一対のせん断具本体からなり、
前記一対のせん断部には、前記せん断部の開閉面に対して垂直な方向から線材を挿入することができる隙間が形成されており、
前記把手部の開閉動作に連動させて前記隙間を開閉させることにより、前記隙間に挿入された線材をせん断することができるようにした線材せん断具に取り付けられ、前記線材せん断具によりせん断されたせん断屑を収納する収納容器であって、
前記収納容器は、剛性体からなり、前記せん断具本体の前記せん断部側に取り外し自在に取り付けられ、
前記収納容器の底面には開口部が形成されており、
前記開口部は、前記隙間が開いた状態の際に前記開閉面と垂直な方向から見たときに、前記隙間に位置合わせされて形成されていることを特徴とする収納容器。
【請求項２２】
前記開閉面に対して垂直方向に延びる長さを有していることを特徴とする請求項２１に記載の収納容器。
【請求項２３】
前記底面には、前記収納容器の内部に向かって延び、かつ、前記底面から離れるに従って徐々に横断面積が小さくなるようなテーパー部が形成されており、
前記開口部は前記テーパー部の頂点に形成されていることを特徴とする請求項２１又は２２に記載の収納容器。
【請求項２４】
前記底面は、前記収納容器の内部に向かって延び、かつ、その周縁から離れるに従って徐々に横断面積が小さくなるように形成されており、
前記開口部は、前記底面の頂点に形成されていることを特徴とする請求項２１又は２２に記載の収納容器。
【請求項２５】
内部に磁石が取り付けられていることを特徴とする請求項２１乃至２４の何れか一項に記載の収納容器。
【請求項２６】
外部から内部を見ることができる材質により形成されていることを特徴とする請求項２１乃至２５の何れか一項に記載の収納容器。
【請求項２７】
着脱自在の蓋が設けられていることを特徴とする請求項２１乃至２６の何れか一項に記載の収納容器。
【請求項２８】
前記蓋の内側面には磁石が取り付けられていることを特徴とする請求項２７に記載の収納容器。
【請求項２９】
フランジを用いて前記せん断具本体に対して取り外し自在に取り付けることができるようにされていることを特徴とする請求項２１乃至２８の何れか一項に記載の収納容器。
【請求項３０】
前記フランジに形成された雌ネジに螺合できる雄ネジが外周に形成されており、
前記雄ネジを前記雌ネジに螺合させることにより、前記フランジに対して着脱自在にされていることを特徴とする請求項２９に記載の収納容器。
【請求項３１】
前記開口部に嵌め込むことのできる栓を備えることを特徴とする請求項２１乃至３０の何れか一項に記載の収納容器。
【発明の詳細な説明】
【技術分野】
【０００１】
本発明は、線材せん断具及び線材せん断具用収納容器に関し、特に、注射針その他の線材をせん断するのに好適な線材せん断具及びせん断屑を収納する収納容器に関する。
【背景技術】
【０００２】
従来、注射針やワイヤー等の線材をせん断する場合には、一点において回動自在に連結され、連結された一点の一方側に相対向する一対の刃部を形成し、その他方側には一対の把手部を形成した一対のせん断具本体からなり、他方側に形成されている一対の把手部の開閉動作に連動して、一方側に形成されている刃部を開閉させるせん断具により、これらの刃部に線材を挟み込んでせん断していた（例えば、特許文献１参照）。
【特許文献１】特開平１０−２８６７７８号公報
【発明の開示】
【発明が解決しようとする課題】
【０００３】
しかしながら、従来のせん断具で、注射針等のように非常に硬い線材をせん断する場合には、刃部を閉じてせん断しようとする際に、線材が刃に沿って滑ってしまい、うまくせん断することができない場合があった。
【０００４】
また、従来のせん断具によって、せん断対象物をせん断した場合には、せん断屑が飛散してしまうという欠点を有していた。
【０００５】
特に、従来のせん断具によって、使用済みの注射器の注射針をせん断する場合においては、せん断された注射針が飛散し、危険であるばかりか衛生上も問題があった。
【０００６】
そこで、本発明は、注射針などの線材をせん断するのに好適な線材せん断具及び収納容器を提供することを目的とする。
【課題を解決するための手段】
【０００７】
以上の課題を解決するため、本発明は、一点において回動自在に連結され、前記一点の一方側には一対のせん断部が形成され、前記一点の他方側には一対の把手部が形成されている一対のせん断具本体からなり、前記一対のせん断部は、前記せん断部の開閉面に沿って少なくとも一部が重なり合うようにされており、前記一対のせん断部の重なり合う部分には、前記せん断部の開閉面に対して垂直な方向から線材を挿入することができる隙間を有する貫通孔が形成されており、前記把手部の開閉動作に連動させて前記隙間を開閉させることにより、前記隙間に挿入された線材をせん断することができるようにした線材せん断具を提供する。
【０００８】
このような線材せん断具を提供することにより、貫通孔によって確実に線材が保持されるため、線材が動いてしまうことがなくなり、確実にこの線材をせん断することができるようになる。
【０００９】
ここで、一対の貫通孔の内少なくとも何れか一方の貫通孔には、前記線材をせん断する刃を形成しておくことで、より確実にこの線材をせん断することができる。
【００１０】
また、このような刃を形成する代わりに、一対の貫通孔の内少なくとも何れか一方の貫通孔を一定の内径を有する平孔部と、この平孔部の一端からせん断部の表面に向かって徐々に内径が大きくなる拡径部と、により形成しておくことで、線材をこの貫通孔に容易に挿入することができるようになる。
【００１１】
また、本発明は、一点において回動自在に連結され、前記一点の一方側には一対のせん断部が形成され、前記一点の他方側には一対の把手部が形成されている一対のせん断具本体からなり、前記一対のせん断部には、前記せん断部の開閉面に対して垂直な方向から線材を挿入することができる隙間が形成されており、前記把手部の開閉動作に連動させて前記隙間を開閉させることにより、前記隙間に挿入された前記線材をせん断することができるようにした線材せん断具であって、前記せん断具本体の前記せん断部側には、収納容器が設けられており、前記収納容器の底面には開口部が形成されており、前記開口部は、前記隙間が開いた状態の際に前記開閉面と垂直な方向から見たときに、前記隙間に位置合わせされて形成されていることを特徴とする線材せん断具を提供する。
【００１２】
このような線材せん断具を提供することにより、収納容器の内部に線材を挿入した状態でこの線材をせん断することにより、せん断屑が飛散してしまうことを防止することができる。
【００１３】
ここで、注射針等のように所定の長さを有する線材をせん断する場合を考慮して、収納容器は、せん断部の開閉面に対して垂直方向に延びる長さを有していることが望ましい。
【００１４】
せん断部としては、線材をせん断することができるものであればどのようなものであってもよいが、例えば、一対のせん断部をこのせん断部の開閉面に沿って少なくとも一部が重なり合うように形成し、一対のせん断部の重なり合う部分に一対の貫通孔をそれぞれ形成し、この貫通孔の内部の空間によって形成される隙間に線材を挿入して、この隙間を閉じることによりこの線材をせん断することができるようにすることができる。
【００１５】
ここで、このような貫通孔の内部に線材を挿入する場合には、一対の貫通孔の内少なくとも何れか一方の貫通孔と収納容器の開口部とを同一の形状及び大きさの横断面を有するようにすることで、注射針等の線材を確実に収納容器の内部に挿入することができるほか、収納容器の開口部と貫通孔とでこの線材を保持することができるため、確実にこの線材をせん断することができる。
【００１６】
また、一対の貫通孔の内少なくとも何れか一方の貫通孔には、線材をせん断するための刃を形成しておくことで、確実にこの線材をせん断することができる。
【００１７】
さらに、線材をせん断する刃の代わりに、一対の貫通孔の内少なくとも何れか一方の貫通孔に、一定の内径を有する平孔部と、この平孔部の一端からせん断部の表面に向かって徐々に内径が大きくなる拡径部と、を形成しておくことにより、線材をこの貫通孔に容易に挿入することができるようになる。
【００１８】
なお、貫通孔にこのような平孔部と拡径部とを形成した場合には、この平孔部と収納容器の開口部とを同一の形状及び大きさの横断面を有するように形成することで、注射針等の線材を貫通孔を介して収納容器の内部に確実に挿入することができるようになる。
【００１９】
また、せん断部としては、一対のせん断部のそれぞれに相対向するように形成された一対の刃部を備えるようにすることで、この一対の刃部の間の空間に線材を挿入して、刃部を閉じることにより、この線材をせん断することができるようになる。
【００２０】
このようにせん断部として一対の刃部を備えるようにした場合には、収納容器を一対のせん断具本体のうちの何れか一方のせん断具本体に対して固定的に取り付け、この収納容器の開口部はこの一方のせん断具本体の刃部に隣接して位置合わせしておくことが望ましい。
【００２１】
このような位置に位置合わせしておくことで、一対の刃部が線材を垂直方向から挟み込むこととなり、確実にこの線材をせん断することができるようになる。
【００２２】
ここで、収納容器の形状については、どのような形状であってもよいが、その底面には、収納容器の内部に向かって延び、かつ、この底面から離れるに従って徐々に横断面積が小さくなるようなテーパー部を形成しておき、開口部はこのテーパー部の頂点に形成しておくことが望ましい。
【００２３】
底面にこのようなテーパー部を形成しておくことで、収納容器の内部に収納されたせん断屑が、収納容器の開口部から容易に外部に出てしまうことを防止することができる。
【００２４】
また、底面自体を収納容器の内部に向かって延び、かつ、その底面の周縁から離れるに従って徐々に横断面積が小さくなるように形成し、開口部をこの底面の頂点に形成することも可能である。
【００２５】
また、収納用器の内部に磁石を取り付けておくことで、磁性体からなる線材のせん断屑を引き寄せておくことが可能となり、このようなせん断屑が収納容器の外部に容易に出てしまうことを防止することができるようになる。
【００２６】
なお、収納容器の材質についてはどのような材質であってもよいが、外部から内部を見ることができる材質により形成することで、収納容器の内部に収納されているせん断屑の量等を確認することができ便利である。
【００２７】
また、収納容器には、着脱自在の蓋を設けておくことにより、収納容器の内部に収納されたせん断屑を容易に取り出すことができるようになる。
【００２８】
さらに、この蓋の内側面に磁石を取り付けておくことにより、磁性体からなるせん断屑を容易に取り出すことができるようになる。
【００２９】
また、収納容器はせん断具本体に対して取り外し自在に取り付けておくことで、容易にこの収納容器を取り替えることができるようになる。
【００３０】
ここで、収納容器をせん断具本体に対して取り外し自在に取り付ける場合には、フランジを用いて収納容器をせん断具本体に対して取り外し自在に取り付けることが望ましい。
【００３１】
なお、収納容器の外周に雄ネジを形成し、フランジの所定の位置にこの雄ネジを螺合させことができる雌ネジを形成することで、これらの雄ネジと雌ネジとを螺合させることにより、収納容器とフランジとを着脱自在にすることも可能である。
【００３２】
また、収納容器は、フランジとせん断具本体とを少なくとも二点以上の点において固定的に取り付けることにより、せん断具本体に対して所定の位置に取り付けることができるようになる。
【００３３】
そして、この二点以上の点については、ネジにより固定的に取り付けることができ、また、二点以上の点の内、少なくとも一つの点は、フランジ又はせん断具本体の何れか一方に形成された嵌合用貫通孔に、フランジ又はせん断具本体のいずれ他方に形成された嵌合用ピンを嵌合させることにより固定的に取り付けることも可能である。
【００３４】
なお、収納容器の開口部に嵌め込むことのできる栓を備えることで、せん断具本体から取り外した収納容器の開口部に栓をすることにより、収納容器の内部に収納された線材が外部にでてしまうことを防止することができる。
【００３５】
また、本発明は、一点において回動自在に連結され、前記一点の一方側には一対のせん断部が形成され、前記一点の他方側には一対の把手部が形成されている一対のせん断具本体からなり、前記一対のせん断部には、前記せん断部の開閉面に対して垂直な方向から線材を挿入することができる隙間が形成されており、前記把手部の開閉動作に連動させて前記せん断部を開閉させることにより、前記隙間を開閉させて前記隙間に挿入された線材をせん断することができるようにした線材せん断具に取り付けられ、前記線材せん断具によりせん断されたせん断屑を収納する収納容器であって、前記収納容器は、剛性体からなり、前記せん断具本体の前記せん断部側に取り外し自在に取り付けられ、前記収納容器の底面には開口部が形成されており、前記開口部は、前記隙間が開いた状態の際に前記開閉面と垂直な方向から見たときに、前記隙間に位置合わせされて形成されていることを特徴とする収納容器を提供する。
【００３６】
このような収納容器を提供することにより、収納容器の内部に線材を挿入した状態でこの線材をせん断することにより、せん断屑が飛散してしまうことを防止することができる。
【００３７】
ここで、注射針等のように所定の長さを有する線材をせん断する場合を考慮して、収納容器は、せん断部の開閉面に対して垂直方向に延びる長さを有していることが望ましい。
【００３８】
ここで、収納容器の形状については、どのような形状であってもよいが、その底面には、収納容器の内部に向かって延び、かつ、この底面から離れるに従って徐々に横断面積が小さくなるようなテーパー部を形成しておき、開口部はこのテーパー部の頂点に形成しておくことが望ましい。
【００３９】
底面にこのようなテーパー部を形成しておくことで、収納容器の内部に収納されたせん断屑が、収納容器の開口部から容易に外部に出てしまうことを防止することができる。
【００４０】
また、底面自体を収納容器の内部に向かって延び、かつ、その底面の周縁から離れるに従って徐々に横断面積が小さくなるように形成し、開口部をこの底面の頂点に形成することも可能である。
【００４１】
また、収納用器の内部に磁石を取り付けておくことで、磁性体からなる線材のせん断屑を引き寄せておくことが可能となり、このようなせん断屑が収納容器の外部に容易に出てしまうことを防止することができるようになる。
【００４２】
なお、収納容器の材質についてはどのような材質であってもよいが、外部から内部を見ることができる材質により形成することで、収納容器の内部に収納されているせん断屑の量等を確認することができ便利である。
【００４３】
また、収納容器には、着脱自在の蓋を設けておくことにより、収納容器の内部に収納されたせん断屑を容易に取り出すことができるようになる。
【００４４】
さらに、この蓋の内側面に磁石を取り付けておくことにより、磁性体からなるせん断屑を容易に取り出すことができるようになる。
【００４５】
また、収納容器はせん断具本体に対して取り外し自在に取り付けておくことで、容易にこの収納容器を取り替えることができるようになる。
【００４６】
ここで、収納容器をせん断具本体に対して取り外し自在に取り付ける場合には、フランジを用いて収納容器をせん断具本体に対して取り外し自在に取り付けることができるようにすることが望ましい。
【００４７】
なお、収納容器の外周には、フランジに形成された雌ネジに螺合できる雄ネジを形成しておくことで、収納容器をフランジに対して着脱自在にすることができる。
【００４８】
また、収納容器の開口部に嵌め込むことのできる栓を備えておくことで、収納容器の内部に入れられた線材が外部にでてしまうことを防止することができる。
【発明の効果】
【００４９】
以上のように、本発明によれば、せん断部に形成された貫通孔により、線材を確実に保持することができるため、確実に線材をせん断することができるほか、収納容器の内部に線材を挿入してからこの線材をせん断することにより、せん断屑が飛散してしまうことがなくなる。
【発明を実施するための最良の形態】
【００５０】
図１は、本発明の第一の実施形態に係る線材せん断具１００の下面斜視図である。
【００５１】
本実施形態に係る線材せん断具１００は、一対のせん断具本体１１０Ａ、１１０Ｂと、軸部材１２０と、バネ１３０と、により構成されている。
【００５２】
一対のせん断具本体１１０Ａ、１１０Ｂは、第一のせん断具本体１１０Ａと第二のせん断具本体１１０Ｂとにより形成されており、軸部材１２０により一点において回動自在に連結され、この軸部材１２０を挟んで、一方側には一対のせん断部１１１Ａ、１１１Ｂ（ここで、第一のせん断具本体１１０Ａ側のせん断部を第一のせん断部１１１Ａ、第二のせん断具本体１１０Ｂ側のせん断部を第二のせん断部１１１Ｂとする）が形成されており、また、他方側には、一対の把手部１１２Ａ、１１２Ｂ（ここで、第一のせん断具本体１１０Ａ側の把手部１１２Ａを第一の把手部１１２Ａ、第二のせん断具本体１１０Ｂ側の把手部を第二の把手部１１２Ｂとする）が形成されている。
【００５３】
従って、軸部材１２０を中心として一対の把手部１１２Ａ、１１２Ｂを回動させることにより、一対のせん断部１１１Ａ、１１１Ｂも回動させることができるようにされている。
【００５４】
なお、図２（線材せん断具１００の下面における分解斜視図）に表されているように、第一のせん断具本体１１０Ａには、把手部１１２Ａ、１１２Ｂの回動方向に所定の長さを有するレール状孔１１３が形成されており、第二のせん断具本体１１０Ｂには、このレール状孔１１３に入り込む位置にロック用突起１１４が形成されているため、レール状孔１１３の内部においてロック状突起１１４を動かすことができる範囲において、一対の把手部１１２Ａ、１１２Ｂの回動範囲を制限することができるようにしている。
【００５５】
ここで、図２に表されているように、一対のせん断部１１１Ａ、１１１Ｂは、このせん断部１１１Ａ、１１１Ｂの開閉面に沿って重なり合うように、即ち、せん断部１１１Ａの下面とせん断部１１１Ｂの上面とが重なり合うようにされている。
【００５６】
そして、一対のせん断部１１１Ａ、１１１Ｂのうち重なり合っている部分には、それぞれ一対の貫通孔１１５Ａ、１１５Ｂ（ここで、第一のせん断部１１１Ａ側の貫通孔を第一の貫通孔１１５Ａ、第二のせん断部１１１Ｂ側の貫通孔を第二の貫通孔１１５Ｂとする）が形成されており、これらの貫通孔１１５Ａ、１１５Ｂは、軸部材１２０を中心とした回動面に対して垂直な方向に延びるように形成されている。
【００５７】
そして、一対の貫通孔１１５Ａ、１１５Ｂは、それぞれの内部空間が一対の把手部１１２Ａ、１１２Ｂを最も開いた状態の際に直線上に連通するようにされており、図４（線材せん断具１００の使用状態を表す側面図）に表されているように、これらの貫通孔１１５Ａ、１１５Ｂの連通した内部空間に注射針１７１等の線材を挿入することができるようにされている。
【００５８】
そして、貫通孔１１５Ａ、１１５Ｂの連通した内部空間に線材を挿入した状態で、一対の把手部１１２Ａを閉じることにより、せん断部１１１Ａの下面とせん断具１１１Ｂの上面との境界面において、この線材にせん断力が生じ、この線材をせん断することができるようにしている。
【００５９】
貫通孔１１５Ａ、１１５Ｂの大きさ・形状については、この線材せん断具１００によりせん断する線材の大きさ・形状に合わせて適時選択することができる設計事項であり、本実施形態においては、図４に表されているように、注射針１７１をせん断するため、貫通孔１１５Ａ、１１５Ｂは横断面が円形になるように形成されている。
【００６０】
また、第一の貫通孔１１５Ａについては、図３（図１のＸ−Ｘ線における縦断面図）に表されているように、一定の内径を有する平孔部１１５Ａ−ａと、この平孔部１１５Ａ−ａの一端から第一のせん断部１１１Ａの表面１１１Ａ−ａに向かって徐々に内径が大きくなる拡径部１１５Ａ−ｂと、により形成されている。
【００６１】
このため、第一の貫通孔１１５Ａから線材を挿入する際に、線材を挿入しやすくなる。
【００６２】
一対の把手部１１２Ａ、１１２Ｂには、バネ１３０が取り付けられており、このバネ１３０は、一対の把手部１１２Ａ、１１２Ｂを開いた状態に保持するように、これらの把手部１１２Ａ、１１２Ｂを付勢している。
【００６３】
以上のように、本実施形態に係る線材せん断具１００を形成したので、図４に表されているように、一対の把手部１１２Ａ、１１２Ｂを開き、一対のせん断部１１１Ａ、１１１Ｂに形成されている貫通孔１１５Ａ、１１５Ｂを相互に連通した状態にし、これらの貫通孔１１５Ａ、１１５Ｂに被せん断対象物である注射器１７０の注射針１７１を挿入して、一対の把手部１１２Ａ、１１２Ｂを閉じることにより、この注射針１７１をせん断することができるようになり、この際、注射針１７１は貫通孔１１５Ａ、１１５Ｂにより保持されているため、確実にこの注射針１７１をせん断することができる。
【００６４】
なお、本実施形態においては、第一の貫通孔１１５Ａに平孔部１１５Ａ−ａと拡径部１１５Ａ−ｂとを形成したが、内径が一定の平孔のみにより形成することも可能である。
【００６５】
図５は、本発明の第二の実施形態に係る線材せん断具２００の下面斜視図である。
【００６６】
本実施形態に係る線材せん断具２００は、一対のせん断具本体１１０Ａ、１１０Ｂと、軸部材１２０と、バネ１３０と、収納容器２４０と、により構成されている。
【００６７】
本実施形態に係る線材せん断具２００において、一対のせん断具本体１１０Ａ、１１０Ｂ、軸部材１２０及びバネ１３０については、第一の実施形態に係る線材せん断具１００と同様であるため、以下、収納容器２４０に関連する事項についてのみ説明する。
【００６８】
本実施形態に係る線材せん断具２００においては、第二のせん断具本体１１０Ｂに収納容器２４０が取り付けられている。
【００６９】
収納容器２４０は、図６（線材せん断具２００の上面斜視図）に表されているように、第二のせん断具本体１１０Ｂの第二のせん断部１１１Ｂ側に、接着剤で取り付けられている。
【００７０】
なお、収納容器２４０の大きさ・形状については、被せん断対象物である線材を内部に収納することのできる大きさ・形状を適時選択すればよいが、本実施形態においては、図８（線材せん断具２００の使用状態を表す側面図）に表されているように、注射針１７１をせん断する場合に便利なように、せん断部１１１Ａ、１１１Ｂの開閉面に対して垂直方向に長く延びる円筒形状が採用されている。
【００７１】
なお、収納容器２４０は、透明の耐熱性樹脂により形成されており、外部からこの収納容器２４０の内部を見ることができるようにされているとともに、この収納容器２４０を煮沸することにより、消毒することができるようにされている。
【００７２】
ここで、この収納容器２４０の底面２４０ａには、開口部２４１が形成されており、収納容器２４０の頂面２４０ｂは閉じている。
【００７３】
図７（図６のＹ−Ｙ線における断面図）に表されているように、開口部２４１は、第二の貫通孔１１５Ｂと同軸となるように位置合わせされており、また、開口部２４１の大きさ・形状については、被せん断対象物の大きさ・形状を考慮して適時選択すればよいが、本実施形態においては、開口部２４１の大きさ・形状についても第二の貫通孔１１５Ｂと同じか第二の貫通孔１１５Ｂよりも大きくなるようにされている。
【００７４】
なお、本実施形態においては、第二の貫通孔１１５Ｂと第一の貫通孔１１５Ａの平孔部１１５Ａ−ａとが同じ内径となるように形成されているため、開口部２４１の内径はこの平孔部１１４Ａ−ａとも同じになるようにされている。
【００７５】
以上のように、本実施形態に係る線材せん断具２００を形成したので、図８に表されているように、一対の把手部１１２Ａ、１１２Ｂを開いた状態で、一対のせん断部１１１Ａ、１１１Ｂに形成されている貫通孔１１５Ａ、１１５Ｂを介して収納容器２４０の内部に被せん断対象物である注射器１７０の注射針１７１を挿入して、一対の把手部１１２Ａ、１１２Ｂを閉じることにより、この注射針１７１をせん断することができるようになり、せん断されたせん断屑である注射針１７１は、収納容器２４０の内部に収納されるため、せん断された注射針１７１が飛散してしまうことがなくなる。
【００７６】
なお、本実施形態においては、収納容器２４０を円柱状に形成しているが、このような形状に限定されるわけではなく、角柱状等他の形状を選択することも可能である。
【００７７】
図９は、本発明の第三の実施形態に係る線材せん断具３００の下面斜視図である。
【００７８】
本実施形態に係る線材せん断具３００は、第二の実施形態に係る線材せん断具２００と比べて、収納容器３４０及びこの収納容器３４０の取り付け方法が異なるのみであるため、以下これらに関連する事項についてのみ説明する。
【００７９】
本実施形態における収納容器３４０は、図１０（線材せん断具３００の下面における分解斜視図）に表されているように、その底面３４０ａの側の外周に、雄ネジ３４２が形成されている。
【００８０】
なお、収納容器３４０の底面３４０ａに形成されている開口部３４１の大きさ・形状・位置については、第二の実施形態と同様にされている。
【００８１】
また、本実施形態における収納容器３４０は、第二の実施形態と同様に耐熱性樹脂により形成されているが、第二の実施形態とは異なり非透明の樹脂を使用しているため、外部からこの収納容器３４０の内部を見ることはできないようにされている。
【００８２】
図１０に表されているように、本実施形態においては、収納容器３４０は、フランジ３５０を用いて第二のせん断具本体１１０Ｂに取り付けられている。
【００８３】
具体的には、フランジ３５０には、上方に延びる環状の連結部材３５１が形成されており、この連結部材３５１には、収納容器３４０の外周に形成されている雄ネジ３４２に嵌め込むことができる雌ネジ３５２が内周に形成されている。
【００８４】
従って、収納容器３４０の外周に形成されている雄ネジ３４２を連結部材３５１の内周に形成されている雌ネジ３５２に螺合させることにより、収納容器３４０は連結部材３５１に対して着脱自在に取り付けることができるようにされている。
【００８５】
なお、フランジ３５０の連結部材３５１の内側の領域３５３は貫通しているため、連結部材３５１に取り付けた際に、フランジ３５０が、収納容器３４０の開口部３４１を覆ってしまうことはない。
【００８６】
ここで、フランジ３５０は、フランジ固定用ネジ３６１で、第二のせん断具本体１１０Ｂに固定するようにされている。
【００８７】
また、第二のせん断具本体１１０Ｂには、適切な位置にネジ穴３６２を二つ設けておくことにより、このネジ穴３６２にフランジ固定用ネジ３６１をネジ込んで収納容器３４０を取り付けたフランジ３５０の取り付け位置が固定され、図１１（図９のＺ−Ｚ線における縦断面図）に表されているように、第一の貫通孔１１５Ａと第二の貫通孔１１５Ｂと開口部３４１とがそれぞれ同軸上に位置するようにされている。
【００８８】
さらに、収納容器３４０の開口部３４１には、図１２（収納用容器３４０及び栓３６０の上方斜視図）に表されているように、栓３６０を嵌め込むことができるようにされている。
【００８９】
栓３６０は、挿入部３６１と、カバー部３６２と、摘み部３６３と、により構成されている。
【００９０】
挿入部３６１は、先端の横断面が開口部３４１の横断面よりも小さく、カバー部３６２の方向に向かって徐々にこの横断面が広くなり、最もカバー部３６２に隣接した側が開口部３４１の横断面よりも広くなるテーパー部３６１ａと、テーパー部３６１ａとカバー部３６２との間を連結する連結部３６１ｂと、により形成されており、連結部３６１ｂについては開口部３４１の横断面と同じになるようにされている。
【００９１】
そして、挿入部３６１については、その先端から収納容器３４０の開口部３４１に挿入し、テーパー部３６１ａを介して連結部３６１ｂを開口部３４１に嵌め込むことができる程度の弾性を有する素材により形成されている。
【００９２】
従って、連結部３６１ｂが開口部３４１に嵌め込まれる位置にまで挿入部３６１を収納容器３４０の開口部３４１に挿入することにより、テーパー部３６１ａと連結部３６１ｂとの間の段差が開口部３４１に引っかかるため、収納容器３４０から栓３６０を取り外すことができなくなる。
【００９３】
カバー部３６２は、開口部３４１を覆うことができる程度の大きさ・形状に形成されており、摘み部３６３については、この摘み部３６３を手で持って挿入部３６１を開口部３４１に挿入することができる大きさ・形状に形成されている。
【００９４】
以上のように、本実施形態に係る線材せん断具３００を形成したので、一対の把手部１１２Ａ、１１２Ｂを開いた状態で、一対のせん断部１１１Ａ、１１１Ｂに形成されている貫通孔１１５Ａ、１１５Ｂを介して収納容器３４０の内部に被せん断対象物である注射器１７０の注射針１７１を挿入して、一対の把手部１１２Ａ、１１２Ｂを閉じることにより、この注射針１７１をせん断することができるようになり、せん断されたせん断屑である注射針１７１は、収納容器３４０の内部に収納されるため、せん断された注射針１７１が飛散してしまうことがなくなる。
【００９５】
また、収納容器３４０が着脱自在にされているため、収納容器３４０を容易に取り替えることができるようになる。
【００９６】
さらに、収納容器３４０に栓３６０をすることができるため、収納容器３４０の中に入れられた線材が外部にでてしまうことを防止することができる。特に、収納容器３４０の内部に使用済みの注射針が入れられている場合には、このような栓３６０をしておくことにより、この注射針に触ってしまうようなことがなくなる。
【００９７】
図１３は、本発明の第四の実施形態に係る線材せん断具４００の上面斜視図である。
【００９８】
本実施形態に係る線材せん断具４００は、一対のせん断具本体４１０Ａ、４１０Ｂと、軸部材４２０と、バネ４３０と、収納用容器４４０と、により構成されている。
【００９９】
一対のせん断具本体４１０Ａ、４１０Ｂは、第一のせん断具本体４１０Ａと第二のせん断具本体４１０Ｂとからなり、軸部材４２０により一点において回動自在に連結されており、この軸部材４２０を挟んで、一方側には相対向する一対のせん断部４１１Ａ、４１１Ｂ（第一のせん断具本体４１０Ａ側に形成されているせん断部を第一のせん断部４１１Ａとし、第二のせん断具本体４１０Ｂ側に形成されているせん断部を第二のせん断部４１１Ｂとする）が形成されており、また、他方側には、一対の把手部４１２Ａ、４１２Ｂ（第一のせん断具本体４１０Ａ側に形成されているせん断部を第一の把手部４１２Ａとし、第二のせん断具本体４１０Ｂ側に形成されているせん断部を第二の把手部４１２Ｂとする）が形成されているため、軸部材４２０を中心として一対の把手部４１２Ａ、４１２Ｂを回動させることにより、一対のせん断部４１１Ａ、４１１Ｂも回動させることができるようにされている。
【０１００】
ここで、図１４（線材せん断具４００の底面図）に表されているように、一対のせん断部４１１Ａ、４１１Ｂには、相対向する位置に一対の刃部４１６Ａ、４１６Ｂ（第一のせん断部４１１Ａ側に形成されている刃部を第一の刃部４１６Ａとし、第二のせん断部４１１Ｂ側に形成されている刃部を第二の刃部４１６Ｂとする）が形成されており、これらの刃部４１６Ａ、４１６Ｂの間に被せん断対象物を挿入することができる隙間を形成している。
【０１０１】
従って、一対の把手部４１２Ａ、４１２Ｂを開閉させることにより、一対の刃部４１６Ａ、４１６Ｂを開閉させることができ、一対の刃部４１６Ａ、４１６Ｂの間に被せん断対象物を挟み込むことにより、この被せん断対象物をせん断することができるようにされている。
【０１０２】
なお、一対の把手部４１２Ａ、４１２Ｂ間には、バネ４３０が挟み込んであるため、このバネ４３０の弾性力により、一対の把手部４１２Ａ、４１２Ｂ及び一対のせん断部４１１Ａ、４１１Ｂは開いた状態に保持されている。
【０１０３】
第二のせん断具本体４１０Ｂの第二のせん断部４１１Ｂには、収納容器４４０が取り付けられている。
【０１０４】
収納容器４４０は、第二のせん断部４１１Ｂに、接着剤により接着されることにより取り付けられている。
【０１０５】
ここで、収納容器４４０の大きさ・形状については、被せん断対象物を内部に収納することのできる大きさ・形状を適時選択すればよいが、本実施形態においては、図１５（線材せん断具４００の使用状態を表す側面図）に表されているように、注射針１７１のような細長い物をせん断する場合に便利なように、一対のせん断部４１１Ａ、４１１Ｂの開閉が行われる開閉面に対して垂直方向に長く延びるように形成している。
【０１０６】
なお、収納容器４４０については、透明の耐熱性樹脂により形成されており、外部からこの収納容器４４０の内部を見ることができるようにされているとともに、この収納容器４４０を煮沸することにより、消毒することができるようにされている。
【０１０７】
収納容器４４０の底面４４０ａには、開口部４４１が形成されており、収納容器４４０の頂面４４０ｂは閉じている。
【０１０８】
開口部４４０の大きさ・形状については、被せん断対象物の大きさ・形状を考慮して適時選択すればよい。
【０１０９】
そして、この収納容器４４０は、図１４に表されているように、一対のせん断部４１１Ａ、４１１Ｂの開閉面と垂直な方向から見たときに、このせん断部４１１Ａ、４１１Ｂによって開口部４４１が覆われておらず、かつ、第二の刃部４１６Ｂに開口部４４１が隣接するように位置合わせされて、第二のせん断具本体４１１Ｂに取り付けられている。
【０１１０】
このような位置に、収納容器４３０を固定することで、収納容器４４０の内部に挿入された線材を一対の刃部４１６Ａ、４１６Ｂによって垂直方向から確実に挟み込むことができ、この線材を確実にせん断することができるようになる。
【０１１１】
以上のように、本実施形態に係る線材せん断具４００を形成したので、図１５に表されているように、一対のせん断部４１１Ａ、４１１Ｂ間の隙間を介して被せん断対象物である注射器１７０の注射針１７１を収納容器４４０の開口部４４１から収納容器４４０の内部に挿入して、この注射針１７１をせん断することにより、せん断された注射針１７１は、収納容器４４０の内部に収納され、せん断された注射針１７１が飛散してしまうことがなくなる。
【０１１２】
なお、本実施形態においては、収納容器４４０を円柱状に形成しているが、このような形状に限定されるわけではなく、角柱状等他の形状を選択することも可能である。
【０１１３】
図１６は、本発明の第五の実施形態に係る線材せん断具５００の上面における分解斜視図である。
【０１１４】
本実施形態に係る線材せん断具５００は、第四の実施形態に係る線材せん断具４００と比べて、収納容器５４０の形状及び収納容器５４０の取り付け方法が異なっているため、以下これらに関連する事項について説明する。
【０１１５】
本実施形態における収納容器５４０は、収納容器５４０の底面５４０ａ全体が収納容器５４０の内部に向かって延び、かつ、この底面５４０の周縁から離れるに従って徐々に横断面積が小さくなるような傾斜が付けられており、この底面５４０の頂点に開口部５４１が形成されている。
【０１１６】
また、収納容器５４０には、開口部５４１とは反対側に取り外し自在にされた蓋５４４が取り付けられており、この蓋５４４を取り外すことにより、収納容器５４０の内部に収納されたせん断屑を取り出すことができるようにされている。
【０１１７】
収納容器５４０には、フランジ５５０が収納容器５４０の底部５４０のａの下端から水平方向に延びるように固定されている。
【０１１８】
そして、このフランジ５５０にはフランジ固定用貫通孔５７３が一つ形成されている。
【０１１９】
また、一対のせん断具本体５１０を回動自在に連結している軸部材５２０には、ネジ穴５７２が形成されている。
【０１２０】
そして、フランジ５５０に形成されているフランジ固定用貫通孔５７３を介して、軸部材５２０に形成されているネジ穴５７２にフランジ固定用ネジ５７１をネジ込むことにより、収納容器５４０は、第二のせん断具本体４１２Ｂに着脱自在に固定される。
【０１２１】
なお、フランジ５５０には、位置決め用貫通孔５７４が形成されており、この位置決め用貫通孔５７４に、第二のせん断具本体４１０Ｂの表面から直立している位置決め用ピン５７５を嵌合することにより、収納容器５４０に形成されている開口部５４１が、第四の実施形態で説明したように、第二の刃部４１６Ｂと隣接する位置に取り付けられるようにされている。
【０１２２】
以上のように、本実施形態に係る線材せん断具５００を形成したので、一対のせん断部４１１Ａ、４１１Ｂ間の隙間を介して被せん断対象物を収納容器５４０の開口部５４１から収納容器５４０の内部に挿入して、この被せん断対象物をせん断することにより、せん断されたせん断屑が収納容器５４０の内部に収納され、このせん断屑が飛散してしまうことがなくなる。
【０１２３】
また、収納容器５４０には、開口部５４１に向かって傾斜する底面５４０ａが形成されているため、この底面５４０ａの傾斜に沿って被せん断対象物を収納容器５４０の内部方向に動かすことで、容易に開口部５４１から収納容器５４０の内部に挿入することができる。
【０１２４】
さらに、このような底面５４０ａの傾斜により、収納容器５４０の内部に一旦収納されたせん断屑が開口部５４１から容易に外部に出てしまうことを防止することができる。
【０１２５】
図１７は、本発明の第六の実施形態に係る収納容器６４０の上面斜視図である。
【０１２６】
本実施形態に係る収納容器６４０は、第二の実施形態に係る線材せん断具２００に使用された収納容器２４０と比較して、収納容器６４０の内側面に磁石６４５が取り付けられている点で異なるのみであるため、以下この点に関連する事項について説明する。
【０１２７】
本実施形態に係る収納容器６４０には、その側壁６４０ｃの内側面の一部に、その底面６４０ａから頂面６４０ｂに渡って、磁石６４５が取り付けられている。
【０１２８】
このような磁石６４５を取り付けておくことにより、被せん断対象物が鉄等の磁性体である場合には、これを引き付けて、せん断された被せん断対象物が容易に収納容器６４０の内部から外部に出てしまうことを防止することができる。
【０１２９】
なお、本実施形態においては、磁石６４５を収納容器６４０の側壁６４０ｃの内側面の一部に取り付けたが、この取り付け部位については、適時選択することができる設計事項であり、収納容器６４０の頂面６４０ｂや底面６４０ａの内側面に取り付けることも可能であり、また、側壁６４０ｃの一部ばかりでなく、この全面に取り付けることも可能である。
【０１３０】
さらに、本実施形態においては、磁石６４５を矩形状に形成しているが、この形状についても適時選択することができる設計事項である。
【０１３１】
このようにして形成される収納容器６４０は、例えば、本発明の第一の実施形態に係る線材せん断具１００に、第二の実施形態に係る線材せん断具２００の収納容器２４０と同じように取り付けることにより、線材せん断具１００によりせん断されたせん断屑を収納することができるようになる。
【０１３２】
図１８は、本発明の第七の実施形態に係る収納容器７４０の上面斜視図である。
【０１３３】
本実施形態に係る収納容器５４０は、第二の実施形態に係る線材せん断具２００に使用された収納容器２４０と比較して、側壁７４０ｃの上端７４０ｄに嵌め込むことができる蓋７４４が取り付けられている点で異なるのみであるため、以下この点に関連する事項について説明する。
【０１３４】
本実施形態に係る収納容器７４０には、収納容器７４０の側壁７４０ｃの上端７４０ｄに嵌め込むことで取り外し自在にされている蓋７４４が取り付けられている。
【０１３５】
従って、この蓋７４４を取り外すことにより、収納容器７４０の上端７４０ｃが解放され、内部に溜められたせん断屑を取り出すことが可能になる。
【０１３６】
また、図１９（蓋７４４の底面図）に表されているように、蓋７４４の内側面には、磁石７４６が取り付けられているため、被せん断対象物が鉄等の磁性体である場合には、これを引き付けて、せん断された被せん断対象物が容易に収納容器の内部から外部に出てしまうことを防止することができる。
【０１３７】
このようにして形成される収納容器７４０は、第四の実施形態と同様に、例えば、本発明の第一の実施形態に係る線材せん断具１００に、第二の実施形態に係る線材せん断具２００の収納容器２４０と同じように取り付けることにより、線材せん断具１００によりせん断されたせん断屑を収納することができるようになる。
【０１３８】
なお、本実施形態のように、磁石７４６を取り付けるか否かは適時選択することができる設計事項であり、また、磁石７４６の形状についても適時選択することができる設計事項である。
【図面の簡単な説明】
【０１３９】
【図１】第一の実施形態に係る線材せん断具１００の下面斜視図。
【図２】線材せん断具１００の下面における分解斜視図。
【図３】図１のＸ−Ｘ線における縦断面図。
【図４】線材せん断具１００の使用状態を表す側面図。
【図５】第二の実施形態に係る線材せん断具２００の下面斜視図。
【図６】線材せん断具２００の上面斜視図。
【図７】図６のＹ−Ｙ線における断面図。
【図８】線材せん断具２００の使用状態を表す側面図。
【図９】第三の実施形態に係る線材せん断具３００の下面斜視図。
【図１０】線材せん断具３００の上面における分解斜視図。
【図１１】図９のＺ−Ｚ線における縦断面図。
【図１２】収納用容器３４０及び栓３６０の上方斜視図。
【図１３】第四の実施形態に係る線材せん断具４００の上面における斜視図。
【図１４】線材せん断具４００の底面図。
【図１５】線材せん断具４００の使用状態を表す側面図。
【図１６】第五の実施形態に係る線材せん断具５００の上面における分解斜視図。
【図１７】第六の実施形態に係る収納容器６４０の上面斜視図。
【図１８】第七の実施形態に係る収納容器７４０の上面斜視図。
【図１９】蓋７４４の底面図。
【符号の説明】
【０１４０】
１００、２００、３００、４００、５００  線材せん断具
１１０、２１０、３１０、４１０、５１０  せん断具本体
１１１、２１１、３１１、４１１、５１１  せん断部
１１２、２１２、３１２、４１２、５１２  把手部
１１５  貫通孔
１２０、４２０  軸部材
１３０、４３０  バネ
２４０、３４０、４４０、５４０、６４０、７４０  収納容器
２４１、３４１、４４１、５４１、６４１、７４１  開口部
３４２  テーパー部
５４４、７４４  蓋
６４５、７４６  磁石
３５０、５５０  フランジ
３６０  栓
【図１】
2006110086.tif 000003
【図２】
2006110086.tif 000004
【図３】
2006110086.tif 000005
【図４】
2006110086.tif 000006
【図５】
2006110086.tif 000007
【図６】
2006110086.tif 000008
【図７】
2006110086.tif 000009
【図８】
2006110086.tif 000010
【図９】
2006110086.tif 000011
【図１０】
2006110086.tif 000012
【図１１】
2006110086.tif 000013
【図１２】
2006110086.tif 000014
【図１３】
2006110086.tif 000015
【図１４】
2006110086.tif 000016
【図１５】
2006110086.tif 000017
【図１６】
2006110086.tif 000018
【図１７】
2006110086.tif 000019
【図１８】
2006110086.tif 000020
【図１９】
2006110086.tif 000021